(57)【特許請求の範囲】
【請求項１】
清掃対象の清掃に用いられる清掃用具であって、
長尺状の清掃体ホルダと、
前記清掃体ホルダに装着される清掃体と、
を備え、
前記清掃体ホルダは、使用者によって把持される把持部と、前記把持部から並行して長手状に延在する複数の保持体を有する構成であり、
前記清掃体は、複数の長尺状の分割清掃部に分割され、各分割清掃部に各保持体が挿入される被挿入領域が設けられるとともに、前記複数の分割清掃部のうち互いに隣接する分割清掃部間に前記清掃対象の挿入を許容する空間部を備え、
前記分割清掃部は、当該分割清掃部の長尺方向と交差する方向に延在する繊維を複数集合させた繊維集合体と、不織布からなる不織布シートとが互いに重ねられて接合された構成であり、前記被挿入領域への前記保持体の挿入状態において、前記複数の分割清掃部のうち互いに隣接する分割清掃部同士の前記繊維集合体が前記空間部にて前記長尺方向と交差する方向に関し重なり合い、
前記清掃体は、前記清掃体ホルダに対し未装着の状態において、互いに隣接する前記被挿入領域の間隔が、前記清掃体ホルダにおいて互いに隣接する前記保持体の間隔よりも広く設定されており、前記保持体が前記被挿入領域に挿入される挿入動作に伴って、互いに隣接する分割清掃部同士の前記繊維集合体が近接方向に移動することで前記空間部にて前記長尺方向と交差する方向に関し重なり合うことを特徴とする清掃用具。
【請求項２】
請求項１に記載の清掃用具であって、
前記不織布シートは、前記分割清掃部の長尺方向と交差する方向に延在する複数の分割片に分割された構成であることを特徴とする清掃用具。
【請求項３】
請求項１に記載の清掃用具であって、
前記複数の保持体は、隣接する保持体同士の離間方向に弾性変形可能な弾性材によって構成されていることを特徴とする清掃用具。
【発明の詳細な説明】
【技術分野】
【０００１】
本発明は、清掃用具に係り、詳しくは清掃対象を清掃するための清掃体を備える清掃用具の構築技術に関するものである。
【背景技術】
【０００２】
従来、清掃対象の清掃を行うシート状の清掃体を備える清掃用具が種々提案されている。例えば、下記特許文献１には、繊維層及び掻き出しシートからなる清掃体を備える構成の清掃用具が開示されているが、清掃体を備えるこの種の清掃用具の設計に際しては、清掃効果向上を図るべく更なる技術が要請される。
【特許文献１】特開２００７−２９１３６号公報
【発明の開示】
【発明が解決しようとする課題】
【０００３】
そこで、本発明は、かかる点に鑑みてなされたものであり、清掃対象の清掃を行なうための清掃体を備える清掃用具において、清掃効果向上を図るのに有効な技術を提供することを課題とする。
【課題を解決するための手段】
【０００４】
上記課題を達成するため、各請求項記載の発明が構成される。これら各請求項に記載の発明は、一戸建て、マンション、ビル、工場、車両等の室内、室外、屋外における被清掃領域（床面、壁面、窓、天井面、外壁面、柱、家具面、衣類、カーテン、ブラインド、寝具、照明、電気コード類、家電品等）や、人体の各構成部位における被清掃領域等を清掃するための清掃用具の構成に適用され得る。これら各種の被清掃領域は、平面として構成されてもよいし、或いは曲面、凹凸面、段差面として構成されてもよい。
【０００５】
本発明に係る清掃対象の清掃に用いられる清掃用具は、長尺状の清掃体ホルダと、清掃体ホルダに装着される清掃体とを備える。
この清掃体ホルダは、使用者によって把持される把持部と、把持部から並行して長手状に延在する複数の保持体を有する構成である。ここでいう「並行」に関しては、複数の保持体が並置される形態であればよく、複数の保持体が平行に配設される形態や、隣接する２つの保持体の間隔が先端側に向かうにつれて縮小される形態などが包含される。
この清掃体は、複数の長尺状の分割清掃部に分割され、各分割清掃部に各保持体が挿入される被挿入領域が設けられるとともに、複数の分割清掃部のうち互いに隣接する分割清掃部間に清掃対象の挿入を許容する空間部を備える。この「空間部」に清掃対象が挿入されることによって、当該清掃対象が分割清掃部間に挟まれつつ清掃される。なお、ここでいう「分割」に関しては、所定の分割清掃部の全部または一部が空間を隔てて他の分割清掃部と離間する形態や、所定の分割清掃部が他の分割清掃部と一体状に連接する形態などが広く包含される。
この分割清掃部は、当該分割清掃部の長尺方向と交差する方向に延在する繊維を複数集合させた繊維集合体と、不織布からなる不織布シートとが互いに重ねられて接合された構成であり、被挿入領域への保持体の挿入状態において、複数の分割清掃部のうち互いに隣接する分割清掃部同士の繊維集合体が空間部にて長尺方向と交差する方向に関し重なり合う。
この清掃体は、清掃体ホルダに対し未装着の状態において、互いに隣接する前記被挿入領域の間隔が、清掃体ホルダにおいて互いに隣接する保持体の間隔よりも広く設定されており、保持体が被挿入領域に挿入される挿入動作に伴って、互いに隣接する分割清掃部同士の繊維集合体が近接方向に移動することで空間部にて長尺方向と交差する方向に関し重なり合う。このような構成によれば、保持体が被挿入領域に挿入される挿入動作に伴って、分割清掃部同士の繊維集合体が分割清掃部の長尺方向と交差する方向に関し重なり合いつつ清掃対象の挿入を許容する空間部を形成させることが可能となる。また、互いに重ねられて接合される繊維集合体及び不織布シートの数や組み合わせは、必要に応じて選択可能である。
【０００６】
本発明に係る清掃用具のこのような構成によれば、互いに隣接する分割清掃部同士の繊維集合体が重なり合うことによって形状保持性能が付与され、清掃体全体が垂れ下がったり、空間部に不要な隙間が形成されるのを防止することが可能となり、また清掃対象を分割清掃部間に包み込むようにして清掃対象と分割清掃部との間の接触面積が増やすことができ、以って空間部に挿入される清掃対象の清掃効果を高めることが可能となる。また、空間部に不要な隙間が形成されて見栄えが低下するのを防止することで、作業者に対し清掃効果の高い清掃体であることをアピールすることができ、以って作業者の清掃意欲を高めるのに効果的である。
【０００７】
なお、本発明に係る清掃用具において、清掃体は、一回使用を目安とした使い捨てタイプのものや、清掃対象から除去したゴミ、塵、埃などを保持しつつ複数回の使用を目安として交換を行う使い捨てタイプのものであってもよいし、或いは洗濯などを行ったうえで繰り返し使用することが可能なタイプのものであってもよい。
【０００８】
本発明に係る更なる形態の清掃用具では、前記の不織布シートは、分割清掃部の長尺方向と交差する方向に延在する複数の分割片に分割された構成であるのが好ましい。この分割片は、典型的には不織布シートを短冊状に分割することによって形成される。このような構成によれば、空間部において同方向に延在する繊維集合体及び分割片からなる分割清掃部同士が重なり合う清掃体によって、繊維集合体による払拭機能と分割片による掻き出し機能を付与することが可能となる。
【０００９】
本発明に係る更なる形態の清掃用具では、前記の複数の保持体は、隣接する保持体同士の離間方向に弾性変形可能な弾性材によって構成されるのが好ましい。典型的には、この弾性材として弾性を有するプラスチック材料を用いることが可能である。このような構成によれば、空間部に挿入された清掃対象に対し両側から保持体の弾性付勢力を付与することで、分割清掃部の繊維集合体を清掃対象に押し付けることができ、更なる清掃効果向上を図ることが可能となる。一方で、空間部への清掃対象の挿入を解除すると、保持体は弾性付勢力にしたがって元の状態に復帰することとなり清掃体の保形性が確保される。
【発明の効果】
【００１０】
以上のように、本発明によれば、清掃対象を清掃するための清掃体を備える清掃用具において、清掃体による清掃効果を高めることが可能となった。
【発明を実施するための最良の形態】
【００１１】
以下、本発明における「清掃用具」の一実施の形態である清掃用具１００の構成を、図面を参照しつつ詳細に説明する。この清掃用具１００は、清掃対象を清掃するのに用いられる清掃用具として構成され、典型的な清掃対象としては、一戸建て、マンション、ビル、工場、車両等の室内、室外、屋外における被清掃領域（床面、壁面、窓、天井面、外壁面、柱、家具面、衣類、カーテン、ブラインド、寝具、照明、電気コード類、家電品等）や、人体の各構成部位における被清掃領域等が挙げられる。これら各種の清掃対象として、平面構造或いは立体構造のものが挙げられる。この場合、清掃対象における被清掃領域は、平面、曲面、凹凸面、段差面などとされる。
【００１２】
本実施の形態の清掃用具１００を構成する清掃体１１０及び清掃体ホルダ１３０を互いに組み付ける前の状態の斜視図が図１に示される。図１に示すように、この清掃用具１００は、清掃体１１０と清掃体ホルダ１３０に大別される。
【００１３】
清掃体１１０は、清掃対象である被清掃領域の汚れを拭き取る拭き取り機能、掃き取る掃き取り機構、或いは掻き取る汚れ掻き取り機能を有する清掃体とされる。この清掃体１１０は、販売時或いは未使用時にはシート状ないし平板状とされる一方、使用時には解されて嵩高な状態とされる。詳細については後述するが、この清掃体１１０は、図１に示すように平面視が長方形とされたシート体であって、所定の長手方向（長辺の延在方向）に長尺状に延在する構成とされ、同様の平面形状を有する複数のシート（後述する清掃体シート部１１６及び保持シート部１１２）が互いに重ねられた積層構造を有する。ここでいう清掃体１１０が、本発明における「清掃体」に相当する。なお、必要に応じては、この清掃体１１０を、平面視が正方形等の他の形状の清掃体として構成することもできる。この清掃体１１０は、一回使用を目安とした使い捨てタイプのものや、清掃対象の被清掃領域から除去したごみや埃を刷毛部において保持しつつ複数回の使用を目安として交換を行う使い捨てタイプのものであってもよいし、或いは洗濯などを行ったうえで繰り返し使用することが可能なタイプのものであってもよい。
【００１４】
清掃体ホルダ１３０は、上記構成の清掃体１１０に対し着脱自在とされており、互いに連接するホルダ本体１４０及びハンドル部１５０からなる長尺状の部材として構成される。この清掃体ホルダ１３０が、本発明における「清掃体ホルダ」に相当する。ハンドル部１５０は、長尺状に延在するハンドル本体１５１と、このハンドル本体１５１とホルダ本体１４０との間に介在する連結部１５１ａを備える。ハンドル本体１５１は、使用者によって把持される部位とされる。連結部１５１ａは、ハンドル本体１５１とホルダ本体１４０を固定状に連結する部位を構成している。この清掃体ホルダ１３０の構造に関しては、ホルダ本体１４０及びハンドル部１５０（ハンドル本体１５１及び連結部１５１ａ）の各々を別体構造として組み付け自在とする構成や、ホルダ本体１４０及びハンドル部１５０を一体成型とする構成、またホルダ本体１４０、ハンドル本体１５１及び連結部１５１ａのいずれか二つを一体成型とする構成などを適宜採用することができる。ここでいうハンドル部１５０ないしハンドル本体１５１が、本発明における「把持部」を構成する。
【００１５】
ホルダ本体１４０は、清掃体１１０を着脱自在に保持する機能を有する部位である。このホルダ本体１４０には、ハンドル部１５０側の基部１４１に左右一対の保持板１４２，１４２、及び押え板１４３が設けられている。左右一対の保持板１４２，１４２は、基部１４１から前方に向けて所定の間隔を空けて同一平面上にて平行に（並行して）延在する長手状の板状部材として構成される。すなわち、ホルダ本体１４０は、その先端側が二股状に分かれたフォーク形状となっている。各保持板１４２の横幅は、典型的には長手方向に関し一定或いは先端に向けて狭幅状に設定される。ここでいう保持板１４２，１４２が、本発明における「保持体」を構成する。二本の保持板１４２，１４２の断面形状に関しては、断面が長方形、正方形、円形、多角形のものを適宜採用することが可能である。押え板１４３は、左右一対の保持板１４２，１４２に間において前方へと延在するとともに、下側に向けて凸形状となるように湾曲して形成される板状部材として構成され、更にその下面に係止突部（図示省略）を備える。なお、本明細書中において、二本の保持板１４２の延在方向を清掃用具１００及び清掃体１１０の前後方向として規定し、また二本の保持板１４２，１４２の並置方向を清掃用具１００及び清掃体１１０の左右方向として規定する。
【００１６】
各保持板１４２は、清掃体１１０に形成された対応する被挿入領域（後述する被挿入領域１１５）への挿入が可能とされており、この挿入状態において清掃体１１０を保持する機能を有する。この挿入状態においては、各保持板１４２が清掃体１１０側の被挿入領域に密着状に摺接して嵌まり込み、清掃体１１０に対し止着作用を付与する。更に、この挿入状態においては、押え板１４３が清掃体１１０を上方から押えつけるとともに、その下面に設けられた係止突部（図示省略）が清掃体１１０の抜け止めとして作用する。これにより、各保持板１４２を清掃体１１０側の被挿入領域に挿入した挿入状態では、清掃体１１０がホルダ本体１４０によって確実に保持されることとなる。
【００１７】
上記清掃体１１０の具体的な構成に関しては図２〜図５が参照される。図２には、図１中の清掃体１１０のＡ−Ａ線に関する断面構造が示され、図３には、図１中の清掃体１１０のＢ−Ｂ線に関する断面構造が示される。また、図４には、図１中の清掃体１１０を各積層要素に分解した状態の斜視図が示され、図５には、図２中の清掃体１１０の保持シート部１１２の斜視図が示される。
【００１８】
図２〜図５に示すように、本実施の形態の清掃体１１０は、保持シート部１１２の両面に清掃体シート部１１６，１１６が積層状に重ねられた構成とされる。
保持シート部１１２は、特に図５に示すように、２片の保持シート１１４，１１４の間に基材シート１１３を介在させ、またこの基材シート１１３が各保持板１４２の挿入側において保持シート１１４よりも突出するように設定された状態で、融着線１２０,１２１おいて互いに融着接合されるように構成されている。これにより、２片の保持シート１１４，１１４の間に各保持板１４２の挿入を許容する被挿入領域１１５が形成されるとともに、基材シート１１３は、被挿入領域１１５の開口部１１５ａへの各保持板１４２の円滑な誘導を可能とする。ここでいう被挿入領域１１５が、本発明における「被挿入領域」に相当する。
【００１９】
本実施の形態では、清掃体ホルダ装着前において、清掃体１１０の左右の被挿入領域１１５，１１５の間隔（図２中の間隔Ｌ１）は、二本の保持板１４２，１４２の間隔を上回るように設定されている。また、この清掃体１１０は、前後方向に延在するスリット状の空間部１２４を備えており、この空間部１２４を挟んで左右一対の長尺状の分割清掃部１２３に分割される。詳細については後述するが、この空間部１２４は、清掃対象の挿入を許容する空間部としての機能を有する。ここでいう空間部１２４が、本発明における「空間部」に相当する。一方、各清掃体シート部１１６は、３つの繊維集合体１１７及び表面シート１１８を積層状に重ねられた状態で、表面シート１１８が清掃体１１０の上面及び下面に配設されるように構成されている。
【００２０】
上記の保持シート１１４及び表面シート１１８は、いずれもその左右方向の両端側にジクザグ状にカットされた短冊片（短冊部分）１１４ａ及び１１８ａを複数備える構成であるのが好ましい。この場合、保持シート１１４及び表面シート１１８は、短冊シートとも称呼される。ここでいう短冊片１１４ａ及び１１８ａが、本発明における「分割片」に相当する。このような構成の短冊片１１４ａ，１１８ａは、ごみを引っ掛けて捕捉し易く、また凹部に入り込んだごみを描き出し易い、清掃機能の高い構造として特に効果的である。なお、短冊片１１４ａ，１１８ａの形状に関しては、ジクザグ状、直線状、曲線状などのうちの単一種類或いは複数種類の形状を適宜用いることができる。本実施の形態では、これら短冊片１１４ａ及び１１８ａは、いずれも分割清掃部１２３の長尺方向（保持板１４２の延在方向と交差する方向）に延在する構成とされる。
【００２１】
次に、上記基材シート１１３、保持シート１１４及び表面シート１１８を形成する不織布の構成、及び繊維集合体１１７を形成する繊維集合体の構成につき詳細に説明する。
【００２２】
（不織布の構成）
基材シート１１３、保持シート１１４及び表面シート１１８に関しては、いずれも典型的には熱溶融性繊維（熱可塑性繊維）からなるシート状の不織布を使用することができる。従って、これら基材シート１１３及び保持シート１１４は、「不織布シート」とも称呼される。ここでいう基材シート１１３、保持シート１１４及び表面シート１１８が、本発明における「不織布シート」を構成している。この不織布は、機械的、化学的、熱的などの処理によって繊維を固着したり絡み合わせたりして作られるシート状の構成物であって、熱可塑性繊維を一部に含み融着（溶着）が可能な不織布とされ、複数の短冊片を有する形状の不織布として構成される。熱可塑性繊維（熱溶融繊維）としては、ポリエチレン、ポリプロピレン、ポリエチレンテレフタレート等を使用することができる。また、この不織布は、実用的な強度を備える１０〜１００ｇ／ｍ２の熱可塑性繊維によって構成されるのが好ましい。この不織布としては、エアースルー法、スパンボンド法、サーマルボンド法、スパンレース法、ポイントボンド法、メルトブロー法、ステッチボンド法、ケミカルボンド法、ニードルパンチ法等により製造されたものを適宜使用することができる。この不織布が、本発明における「不織布」に相当する。なお、清掃時の掃き出し機能を向上させるためには、剛性の高い不織布を用いるのが好ましい。また、不織布に代えて或いは加えて、ウレタン、スポンジ、織布、ネット、ワリフなどの素材を短冊状に加工したものを用いることもできる。
【００２３】
（繊維集合体の構成）
一方、繊維集合体１１７は、繊維による単一の繊維構造体や、繊維が長さ方向および／または径方向にそろった繊維構造体（撚糸、紡績糸、複数の長繊維が部分的に接続された糸材など）、ないし当該繊維構造体の集合体とされ、熱可塑性繊維を一部に含み融着（「溶着」ともいう）が可能な繊維集合体として構成される。この繊維集合体１１７を形成する繊維とは、糸、織物などの構成単位であり、太さに比して十分な長さを持つ、細くてたわみやすい形態のものとして規定され、典型的には長い連続状の繊維が長繊維（フィラメント）とされ、短い繊維が短繊維（ステープル）とされる。この繊維集合体１１７の繊維は、保持シート１１４及び表面シート１１８の短冊片１１４ａ及び１１８ａと同様に、保持板１４２の延在方向と交差する方向に長尺状に延在する構成とされる。この繊維集合体１１７は、複数の繊維が束状に形成された「繊維束」とも称呼される。ここでいう繊維集合体１１７が、本発明における「繊維集合体」に相当する。
【００２４】
なお、図２〜４に示す例では、三つの繊維集合体１１７が積層状に重ねられる場合について記載しているが、この繊維層の数は必要に応じて１または複数とすることができる。この繊維集合体１１７は、所定の平面や曲面による面構造を有するとともに、ある程度の厚みを有する立体形状として、或いは薄肉シート形状として構成されるのが好ましい。ここでいう「繊維集合体」は、典型的にはポリエチレン（ＰＥ）、ポリプロピレン（ＰＰ）、ポリエチレンテレフタレート（ＰＥＴ）、ナイロン、レーヨンなどを材質とし、実用上はトウを開繊することによって得られる長繊維（フィラメント）の集合体がこの繊維集合体として多用される。特には、芯部分がポリプロピレン（ＰＰ）或いはポリエチレンテレフタレート（ＰＥＴ）であり、この芯部分の外面を覆う鞘部分がポリエチレン（ＰＥ）の複合繊維を用いて繊維集合体が構成されるのが好ましい。この繊維集合体を形成する長繊維は、その繊度が０．５〜６６ｄｔｅｘとされるのが好ましい。また、各繊維集合体は概ね同様の繊度の繊維から構成されてもよいし、或いは各繊維集合体が異なる繊度の繊維を含む構成であってもよい。また、熱可塑性樹脂を含む繊維を用いる場合、少なくとも２種類以上の異なった融点の樹脂（例えば融点差が２０℃以上の樹脂）を使用するのが好ましい。
【００２５】
また、清掃時の掃き出し機能を向上させるためには、剛性の高い繊維、すなわち繊度が高い繊維を含む繊維集合体を用いるのが好ましい。また、繊維集合体は、捲縮繊維を有する構成されるのが好ましい。この場合、１インチあたりのクリンプ数が５〜３０の倦縮繊維を用いるのが好ましい。ここでいう捲縮繊維は、所定の巻き縮み処理が付与された繊維として構成され、繊維同士が絡み易い構造とされる。このような捲縮繊維を用いると、繊維集合体が清掃体ホルダ装着前の状態よりも嵩高となり、更に捲縮部分にごみを取り込み易い構造とされる。本構造は、特にトウ繊維から形成された捲縮繊維を用いることによって実現され得る。また、ゴミ、塵、埃などを確実に吸着するべく、着塵油剤を含有する繊維を用いるのが好ましい。
【００２６】
なお、繊維集合体として、フィルムをテープ状にスリットし、縦方向へ延伸させたフラットヤーンや、スプリットヤーンと称呼される熱可塑性フィルム樹脂を樹脂の配向方向と直交する方向にかきわけて、繊維状となったフィルムが網目状に接合されているものを使用してもよい。或いは、繊維集合体として、エアースルー不織布などの嵩高で繊維密度の低い不織布を使用してもよい。
【００２７】
また、清掃体１１０の構成要素の種類や数等に関しては、上記の例に限定されるものではなく、必要に応じて種々選択が可能である。
【００２８】
上記構成の清掃用具１００の作用に関しては、図６が参照される。図６には、本実施の形態の清掃体１１０の断面図であって、清掃体ホルダ装着前及び清掃体ホルダ装着後の様子が示される。この図６に示すように、清掃体ホルダ装着前においては、前述のように清掃体１１０の左右の被挿入領域１１５，１１５の間隔Ｌ１が、二本の保持板１４２，１４２の間隔Ｌ２を上回るように設定されている。一方、二本の保持板１４２，１４２が左右の被挿入領域１１５，１１５に挿入されると、左右一対の分割清掃部１２３は、二本の保持板１４２，１４２の間隔Ｌ２にしたがって互いに近接する方向に変形する。その結果、清掃体ホルダ装着後においては、左右一対の分割清掃部１２３の互いの対向部分には、保持シート１１４、繊維集合体１１７及び表面シート１１８が面接触し或いは重なり合い絡み合った重なり領域１１９が形成される。この重なり領域１１９は、空間部１２４に清掃対象を挿入して清掃作業を行なう場合、清掃効果向上を図るためには、図６中の左右方向に関する重なり長さ（重なりしろ）が１ｍｍ以上であるのが好ましく、更には当該重なりしろが二本の保持板１４２，１４２の間隔Ｌ２と同程度であるのが好ましい。
【００２９】
このような構成によれば、互いに隣接する分割清掃部１２３，１２３同士の繊維集合体１１７が少なくとも重なり合うことによって形状保持性能が付与され、清掃体１１０全体が垂れ下がったり、空間部１２４に不要な隙間が形成されるのを防止することが可能となり、また清掃対象を分割清掃部１２３，１２３間に包み込むようにして清掃対象と分割清掃部１２３との間の接触面積が増やすことができ、以って空間部１２４に挿入される清掃対象の清掃効果を高めることが可能となる。また、空間部１２４に不要な隙間が形成されて見栄えが低下するのを防止することで、作業者に対し清掃効果の高い清掃体１１０であることをアピールすることができ、以って作業者の清掃意欲を高めるのに効果的である。
【００３０】
なお、清掃体１１０の分割清掃部１２３，１２３は、購入時ないし使用前においては断面が長方形状とされており、実際の清掃作業に際し各分割清掃部１２３は作業者の解し操作によって解されて或いは毛羽立たせることによって、ボリューム感が高められた嵩高な状態とされるのが好ましい。この解し操作は、清掃体ホルダ装着前に行なう第１の手順において遂行されてもよいし、或いは清掃体ホルダ装着後に行なう第２の手順において遂行されてもよい。ここで、図７には、本実施の形態の分割清掃部１２３，１２３の断面構造であって、清掃体ホルダ装着操作に関する第１の手順が示され、図８には、本実施の形態の分割清掃部１２３，１２３の断面構造であって、清掃体ホルダ装着操作に関する第２の手順が示される。
【００３１】
図７に示す第１の手順では、まずｓｔｅｐＡ１において分割清掃部１２３，１２３が作業者によって解し操作される。このとき、本実施の形態では、各分割清掃部１２３における保持シート１１４、繊維集合体１１７及び表面シート１１８は、いずれも融着線１２０を中心として分割清掃部１２３の長尺方向と交差する方向（保持板１４２の延在方向と交差する方向）に関し同様の長さを有している。従って、ｓｔｅｐＡ１において解し操作がなされると、各分割清掃部１２３は、保持板１４２の延在方向と交差する方向に関する断面が略円形ないし略楕円形とされた嵩高状態を形成する。この嵩高状態では、保持シート１１４及び表面シート１１８の短冊片１１４ａ及び１１８ａや、繊維集合体１１７の繊維は、分割清掃部１２３の長尺方向と交差する方向（保持板１４２の延在方向と交差する方向）の断面に関し、融着線１２０を中心として放射方向に延在する。引き続きｓｔｅｐＡ２においては、二本の保持板１４２，１４２が左右の被挿入領域１１５，１１５に挿入される。これにより、左右一対の分割清掃部１２３は、二本の保持板１４２，１４２の間隔にしたがって互いに近接する方向に変形し、保持シート１１４、繊維集合体１１７及び表面シート１１８が面接触し或いは重なり合い絡み合った重なり領域１１９を形成することとなる。
【００３２】
一方、図８に示す第２の手順では、まずｓｔｅｐＢ１において、二本の保持板１４２，１４２が左右の被挿入領域１１５，１１５に挿入される。これにより、左右一対の分割清掃部１２３は、二本の保持板１４２，１４２の間隔にしたがって互いに近接する方向に変形し、保持シート１１４、繊維集合体１１７及び表面シート１１８が面接触し或いは重なり合い絡み合った重なり領域１１９を形成することとなる。引き続きｓｔｅｐＢ２においては、各分割清掃部１２３の解し操作によって、図７中のｓｔｅｐＡ２と同様に当該分割清掃部１２３は断面形状が略円形とされた嵩高状態を形成する。
【００３３】
上記第１或いは第２手順の経て得られた清掃用具１００を用いた清掃作業に関しては、図９〜図１７が参照される。図９〜図１２には、本実施の形態の清掃用具１００において、清掃体１１０の一対の分割清掃部１２３，１２３の間で清掃対象Ｗを払拭する場合の様子が示され、図１３〜図１７には、本実施の形態の清掃用具１００において、清掃体１１０の一対の分割清掃部１２３，１２３の外面において清掃対象Ｗを払拭する場合の様子が示される。
【００３４】
図９に示すように、清掃体１１０の一対の分割清掃部１２３，１２３の間で、例えば立体形状の清掃対象Ｗを清掃する場合を想定する。この場合、図１０に示すように、一対の分割清掃部１２３，１２３の重なり領域１１９が清掃対象に合致するように清掃体１１０を押し付ける。一方で、二本の保持板１４２，１４２は、離間方向に弾性変形可能な弾性材、典型的には弾性を有するプラスチック材料によって構成されるのが好ましい。これにより、清掃対象Ｗは二本の保持板１４２，１４２の弾性付勢力に抗して重なり領域１１９を押し広げつつ空間部１２４に押し込まれ、まずは空間部１２４の入り口部分で、清掃対象Ｗに付着していたゴミ、塵、埃など（以下、「ゴミ等Ｄ」ともいう）が特に繊維集合体１１７に吸着される。このとき、空間部１２４の入り口部分が清掃対象Ｗに対する接触面積が大きいため清掃対象の良好な払拭が可能となる。特には、清掃体１１０の重なり領域１１９の保持シート１１４、繊維集合体１１７及び表面シート１１８が清掃対象の立体表面のゴミ等Ｄに対し効果的に絡み合って当該ゴミ等Ｄ確実に捕捉することが可能となる。清掃対象が更に空間部１２４に押し込まれると、図１１に示すように、空間部１２４の入り口部分で繊維集合体１１７に吸着しきれなかったゴミ等Ｄは、保持シート１１４の短冊片１１４ａによって掻き取られ、掻き取られた当該ゴミ等Ｄは速やかに繊維集合体１１７に吸着される。また、本実施の形態では、各分割清掃部１２３の断面径が極力大きくなるように、保持シート１１４、繊維集合体１１７及び表面シート１１８の長さを設定するのが好ましい。このような構成によれば、一対の分割清掃部１２３，１２３の間を通過する清掃対象Ｗに対する接触距離及び接触時間を増やすことができ、仮に保持シート１１４の短冊片１１４ａが無い場合であっても、ゴミ等Ｄを払拭する効果を高めることが可能となる。更に、図１２に示すように、保持シート１１４の短冊片１１４ａによって掻き取られたにもかかわらず繊維集合体１１７に吸着しきれず落下したゴミ等Ｄは、図１２中の矢印で示すように繊維集合体１１７の後端側（空間部１２４の入り口部分）にて確実に捕捉される。なお、このような清掃は、清掃対象Ｗ側の隙間に少なくとも１つの分割清掃部１２３を挿入して払拭する場合においても同様に有効とされる。
【００３５】
これに対し図１３に示すように、清掃体１１０の一対の分割清掃部１２３，１２３によって、凹凸のある清掃対象Ｗを平面的に清掃する場合を想定する。この場合、本実施の形態では、清掃体１１０は、２つの分割清掃部１２３，１２３を介して平面に接触するため、作業者は必要以上に手首を固定することなく、払拭時の払拭角度の安定性を確保することが可能となる。また、２つの分割清掃部１２３，１２３が清掃対象Ｗに触れることとなるため、１回の払拭操作で一度に２回分の払拭効果を得ることが可能となる。特には、一対の分割清掃部１２３，１２３の繊維集合体１１７は、清掃対象Ｗに対し４つの吸着領域１２３ａ，１２３ｂ，１２４ｂ，１２４ｄが形成されることとなる。これら各吸着領域１２３ａ，１２３ｂ，１２４ｂ，１２４ｄは、いずれも扇形状であることから、ゴミ等Ｄを吸着可能な所望の吸着領域を確保するのに有効とされる。また、これら各吸着領域１２３ａ，１２３ｂ，１２４ｂ，１２４ｄは、いずれも円弧状の接触面を有するとともに、第１の吸着領域１２３ａと第２の吸着領域１２３ｂとの間の突部分と、第３の吸着領域１２３ｃと第４の吸着領域１２３ｄとの間の突部分の２箇所を主体として接触するため、清掃対象Ｗの表面形状にしたがって移動する際に円滑に変形することとなり、清掃対象Ｗとの間の摩擦を抑えた円滑な清掃作業、すなわち使用感の「軽い」清掃作業が可能となる。
【００３６】
具体的には、まず図１４に示すように、清掃対象Ｗの表面にならって清掃体１１０を移動させることによって、第１の吸着領域１２３ａの繊維集合体１１７にゴミ等Ｄが吸着される。更に清掃体１１０を移動させることによって、図１５に示すように凸部に隠れたゴミ等Ｄは、第１の吸着領域１２３ａと第２の吸着領域１２３ｂとの間の保持シート１１４の短冊片１１４ａによって掻き出されて、第２の吸着領域１２３ｂの繊維集合体１１７に吸着される。更に清掃体１１０を移動させることによって、図１６に示すように凹部に入り込んだゴミ等Ｄは、第１の吸着領域１２３ａの繊維集合体１１７に吸着される。このゴミ等Ｄは、第１の吸着領域１２３ａの繊維集合体１１７に吸着されない場合でも、第１の吸着領域１２３ａと第２の吸着領域１２３ｂとの間の保持シート１１４の短冊片１１４ａによって掻き出されて、或いは完全に掻き出されない場合でも凹部の内部を後方へと移動し、第２の吸着領域１２３ｂの繊維集合体１１７に吸着される。更に、第２の吸着領域１２３ｂの繊維集合体１１７に吸着されなかったゴミ等Ｄは、第３の吸着領域１２３ｃの繊維集合体１１７に吸着される。また、第３の吸着領域１２３ｃの繊維集合体１１７に吸着されなかったゴミ等Ｄは、再度第３の吸着領域１２３ｃと第４の吸着領域１２３ｄとの間の保持シート１１４の短冊片１１４ａによって掻き出されて、或いは完全に掻き出されない場合でも凹部の内部を後方へと移動し、最終的には第４の吸着領域１２３ｄの繊維集合体１１７に吸着されることとなる。
【００３７】
なお、清掃対象Ｗの広い平面部分を払拭する際、作業者の手首が安定しない場合や清掃対象Ｗが高所にある場合には、清掃体１１０が清掃対象Ｗの表面に対し傾斜して作用することが想定される。そこで本実施の形態では、図１７に示すように、清掃対象Ｗに対し４つの吸着領域１２３ａ，１２３ｂ，１２４ｂ，１２４ｄが形成されるため、例えば第１の吸着領域１２３ａや第２の吸着領域１２３ｂに吸着されなかったゴミ等Ｄを、第３の吸着領域１２３ｃや第４の吸着領域１２３ｄに吸着させること可能である。
【００３８】
（他の実施の形態）
なお、本発明は上記の実施の形態のみに限定されるものではなく、種々の応用や変形が考えられる。例えば、上記実施の形態を応用した次の各形態を実施することもできる。
【００３９】
上記実施の形態では、左右一対の分割清掃部１２３を有する清掃体１１０について記載したが、本発明では、分割清掃部１２３に相当する部位の数は、２以上の範囲で適宜設定可能である。別実施の形態に関しては、図１８及び図１９が参照される。図１８に示す別実施の形態の清掃用具２００は、３つの分割清掃部１２３を組み合わせた構成の清掃体２１０に対し、長尺状の３つの保持部２４２を有する清掃体ホルダ２３０が組み付けられるように構成されている。具体的には、ホルダ装着状態においては、各保持部２４２が各分割清掃部１２３に設けられた被挿入領域１１５に挿入されるようになっている。この場合、３つの分割清掃部１２３は、その断面中心が所定の三角形の各頂点に位置するように並置される。また、図１９に示す別実施の形態の清掃用具３００は、４つの分割清掃部１２３を組み合わせた構成の清掃体３１０に対し、長尺状の４つの保持部３４２を有する清掃体ホルダ３３０が組み付けられるように構成されている。具体的には、ホルダ装着状態においては、各保持部３４２が各分割清掃部１２３に設けられた被挿入領域１１５に挿入されるようになっている。この場合、４つの分割清掃部１２３は、その断面中心が所定の四角形の各頂点に位置するように並置される。図１８に示す清掃用具２００や、図１９に示す清掃用具３００によっても、前述の清掃用具１００と同様の作用効果を得ることが可能となる。なお、これらの清掃用具２００，３００において、３つ或いは４つの分割清掃部１２３所定の直線上に並置されるように構成してもよい。
【００４０】
また、上記実施の形態では、清掃体１１０は、各分割清掃部１２３の断面が略円形ないし略楕円形とされる場合について記載したが、本発明では、当該断面が略円形ないし略楕円形の全部または一部を構成する形態であればよく、例えば分割清掃部の断面が、円形の一部を構成する１または複数の扇形状とされてもよい。本構成に関しては、図２０に示す別実施の形態の清掃体４１０が参照される。図２０に示す清掃体４１０では、各分割清掃部４２３の外側領域及び内側領域における断面は、互いに異なる径の円形を構成する扇形状とされる。本構成は、例えば融着線１２０，１２１の位置や、保持シート１１４、繊維集合体１１７及び表面シート１１８の長さを場所ごとに変更することによって実現される。このような構成によれば、分割清掃部４２３の外側領域と内側領域のそれぞれに異なる清掃能力を付与する場合に有効とされる。
【００４１】
また、上記実施の形態では、清掃体１１０をシート状の不織布と繊維集合体を用いて構成する場合について記載したが、本発明では、シート状の不織布と繊維集合体のいずれか一方によって清掃体が構成されてもよい。
【図面の簡単な説明】
【００４２】
【図１】本実施の形態の清掃用具１００を構成する清掃体１１０及び清掃体ホルダ１３０を互いに組み付ける前の状態の斜視図である。
【図２】図１中の清掃体１１０のＡ−Ａ線に関する断面構造を示す図である。
【図３】図１中の清掃体１１０のＢ−Ｂ線に関する断面構造を示す図である。
【図４】図１中の清掃体１１０を各積層要素に分解した状態の斜視図である。
【図５】図２中の清掃体１１０の保持シート部１１２の斜視図である。
【図６】本実施の形態の清掃体１１０の断面図であって、清掃体ホルダ装着前及び清掃体ホルダ装着後の様子を示すものである。
【図７】本実施の形態の分割清掃部１２３，１２３の断面構造であって、清掃体ホルダ装着操作に関する第１の手順を示すものである。
【図８】本実施の形態の分割清掃部１２３，１２３の断面構造であって、清掃体ホルダ装着操作に関する第２の手順を示すものである。
【図９】本実施の形態の清掃用具１００において、清掃体１１０の一対の分割清掃部１２３，１２３の間で清掃対象Ｗを払拭する場合の様子を示す図である。
【図１０】本実施の形態の清掃用具１００において、清掃体１１０の一対の分割清掃部１２３，１２３の間で清掃対象Ｗを払拭する場合の様子を示す図である。
【図１１】本実施の形態の清掃用具１００において、清掃体１１０の一対の分割清掃部１２３，１２３の間で清掃対象Ｗを払拭する場合の様子を示す図である。
【図１２】本実施の形態の清掃用具１００において、清掃体１１０の一対の分割清掃部１２３，１２３の間で清掃対象Ｗを払拭する場合の様子を示す図である。
【図１３】本実施の形態の清掃用具１００において、清掃体１１０の一対の分割清掃部１２３，１２３の外面において清掃対象Ｗを払拭する場合の様子を示す図である。
【図１４】本実施の形態の清掃用具１００において、清掃体１１０の一対の分割清掃部１２３，１２３の外面において清掃対象Ｗを払拭する場合の様子を示す図である。
【図１５】本実施の形態の清掃用具１００において、清掃体１１０の一対の分割清掃部１２３，１２３の外面において清掃対象Ｗを払拭する場合の様子を示す図である。
【図１６】本実施の形態の清掃用具１００において、清掃体１１０の一対の分割清掃部１２３，１２３の外面において清掃対象Ｗを払拭する場合の様子を示す図である。
【図１７】本実施の形態の清掃用具１００において、清掃体１１０の一対の分割清掃部１２３，１２３の外面において清掃対象Ｗを払拭する場合の様子を示す図である。
【図１８】別実施の形態の清掃用具２００を構成する清掃体２１０及び清掃体ホルダ２３０を互いに組み付ける前の状態を模式的に示す斜視図である。
【図１９】別実施の形態の清掃用具３００を構成する清掃体３１０及び清掃体ホルダ３３０を互いに組み付ける前の状態を模式的に示す斜視図である。
【図２０】別実施の形態の清掃体４１０の断面を模式的に示す図である。
【符号の説明】
【００４３】
１００…清掃用具
１１０…清掃体
１１２…保持シート部
１１３…基材シート
１１４…保持シート
１１４ａ…短冊片
１１５…被挿入領域
１１５ａ…開口部
１１６…清掃体シート部
１１７…繊維集合体
１１８…表面シート
１１８ａ…短冊片
１１９…重なり領域
１２０，１２１…融着線
１２３，４２３…分割清掃部
１２３ａ…第１の吸着領域
１２３ｂ…第２の吸着領域
１２３ｃ…第３の吸着領域
１２４ｄ…第４の吸着領域
１２４…空間部
１３０…清掃体ホルダ
１４０…ホルダ本体
１４１…基部
１４２…保持板
１４３…押え板
１５０…ハンドル部
１５１…ハンドル本体
１５１ａ…連結部
２００，３００…清掃用具
２１０，３１０，４１０…清掃体
２３０，３３０…清掃体ホルダ
２４２，３４２…保持部
【図１】
0005171347.tif 000002
【図２】
0005171347.tif 000003
【図３】
0005171347.tif 000004
【図４】
0005171347.tif 000005
【図５】
0005171347.tif 000006
【図６】
0005171347.tif 000007
【図７】
0005171347.tif 000008
【図８】
0005171347.tif 000009
【図９】
0005171347.tif 000010
【図１０】
0005171347.tif 000011
【図１１】
0005171347.tif 000012
【図１２】
0005171347.tif 000013
【図１３】
0005171347.tif 000014
【図１４】
0005171347.tif 000015
【図１５】
0005171347.tif 000016
【図１６】
0005171347.tif 000017
【図１７】
0005171347.tif 000018
【図１８】
0005171347.tif 000019
【図１９】
0005171347.tif 000020
【図２０】
0005171347.tif 000021